(57)【要約】      （修正有）【課題】磁石式留め具が外れやすいという不都合を解決すること。【解決手段】留め具のオス型11が装身具本体に対し水平にならない形状、またはオス型11の外周及びメス型1の内周に突起3を設け、メス型内の磁石2と突起３との間にオス型の突起3が納まり多少ゆとりがある空間を設けることなどによりこの課題を解決する。【選択図】図２
2012081240.tif 000002
【特許請求の範囲】
【請求項１】
留め具本体の形状をＶ字その他様々なデザインとし、磁石の入ったオス型が装身具本体に対し、平行にならないことを特徴とする磁石入り留め具。
【請求項２】
オス型メス型それぞれにねじ山を設け、メス型の内部に設置された磁石とねじ山の間にねじ山のないスペースを設けたことを特徴とする磁石入り留め具。
【請求項３】
留め具のオス型メス型おのおのの内部に磁石を設置し、筒状のメス型の内壁に定められた位置に薄い円柱状の突起を設ける。
そしてそのメス型の突起を通過できるサイズの筒状のオス型の先端付近の外周に羽の短いスクリューのような突起を設ける。またそのスクリュー型の斜めの突起と突起の間に、メス型に設けられた突起がスムーズに斜めの方向に入り込むほどの間隔を設けたことを特徴とする磁石式留め具。
【発明の詳細な説明】
【技術分野】
【０００１】本発明は装身具の留め具に関するものであり、留め具全体の形状に工夫を加えることによって、留め具が外れないようにしたものである。
【背景技術】
【０００２】従来より磁石を入れた留め具として、筒状のメス型にオス型磁石が入り込むもの。またはねじで留めるものなどがある。
【発明の開示】
【発明が解決しようとする課題】
【０００３】しかし、従来のような留め具では磁石を大きくしても外れてしまい非常に不便である。またねじ山を多くしないと外れてしまい、ねじ山が多いことで付け外しが面倒となり、さらには斜めに差し込みねじが壊れてしまうこともよくある。本発明はこのような外れやすい、または付け外ししにくいという不都合を解決することを課題とする。
【課題を解決するための手段】
【０００４】この課題を解決するための請求項１の発明は、留め具本体の形状を従来の直線的な形状ではなく、例えばＶ字やＵ字凵字〜形などさらには花、動物、十字などにする。磁石の入ったオス型がオス型側装身具本体に対し、斜めもしくは垂直にメス型に入ることで左右から引っぱられても外れることを防止できることを特徴とする磁石入り留め具である。またこのような形状の為、留め具としての使用だけでなく、前面に使用し、ペンダントトップとしての使用もできる。外すにはメス型内部の磁石のある位置を片方の指でつまみ、もう片方の手でオス型側本体を引っぱることでオス型側装身具本体とオス型が平行になり、簡単に外すことができる。【０００５】また、請求項２の発明は、メス型の内部に設けられたねじ山とメス型内部に設置された磁石との間にねじ山のない空間を設け、オス型収納時オス型のねじ山がその空間に納まるようにしたことを特徴とする磁石入り留め具である。空間の中でオス型のねじ山が多少動くくらいの空間とする。するとオス型メス型それぞれの磁石が接着し、その状態でオス型メス型をそれぞれ逆方向にひねってもねじ山どうしにすきまがある為、外れない。またこの場合ねじ山は引っかかって外れるのを防止するために必要なだけなのでねじ山は最小限少なくて良い。外すには留め具もしくは装身具本体を左右から引っぱったまま留め具のオス型メス型をおのおの逆方向にひねることで外すことができる。【０００６】請求項３の発明は、筒状のメス型の内部に設けられた突起と内部に設置された磁石との間に充分な空間があり、そのメス型に入るオス型の内部に磁石を設置し、またその先端付近の外周に羽の短いスクリュー状のものを設けたことを特徴とする磁石入り留め具である。留め具の接合の際オス型メス型それぞれの突起が一端当たり、メス型の突起がオス型の突起の間で止まる。
その後、オス型をオス型の突起の傾斜に沿う向きにひねることでオス型がメス型の内部に入り、そのまま磁力により接合する。オス型メス型をそれぞれ左右引き離す方向に引っぱるとおのおの突起に当たり磁力によりまた接合する。つまりオス型メス型それぞれに設けられた突起が外れ防止のためのロック機巧となる。また外す際はオス型メス型をそれぞれ左右の引き離す方向に引っぱりオス型の突起の間にメス型の突起が入った状態のまま、オス型を先程とは逆の方向にひねることで外すことができる。本発明はほんの少しひねるだけで付け外しができるのである。
【発明の効果】
【０００７】本発明により、留め具が外れてしまうという不都合はなくなり、外すことも容易である。
【発明を実施するための最良の形態】
【０００８】図１はＶ字形メス型の入り口側下部に磁石を設けたことを特徴とする磁石入り留め具の斜視図である。同図に示すように磁石の入ったオス型が根元の丸カンを境にオス型側装身具本体に対し、折れ曲がったかたちになる為、左右から留め具が引っぱられた時、オス型の先端部分がメス型内部に引っ掛かり外れることを防止できる。また装着にはオス型メス型それぞれを近づけることで磁石の吸着力により、オス型がメス型内部に入り、磁石どうしが接着することで装着できる。デザイン面でも様々なデザインが可能になるので、ペンダント前面に出してペンダントトップやチャームとしての使用もできる。【０００９】図２はオス型メス型それぞれにねじ山及び磁石を配し、メス型のねじ山と磁石の間にはオス型のねじ山がメス型内部で多少動くことができるくらいのねじ山のない空間を設けることを特徴とする磁石入り留め具の斜視図である。同図に示すようにメス型内部のねじ山と磁石の間に空間があることで万一留め具がねじれても外れることがない。さらに装身具本体を引っ掛けてしまった場合でも、ねじ山に引っ掛かり磁石の磁力で再び接合する為、外れることはない。ねじ山は引っ掛かった際、そこで止まる役目なので留め具の円周の半周または１周もあれば充分である。このため、外す際は留め具を左右に引っぱったまま、オス型メス型をそれぞれ逆回しにひねるのだが、少しひねるだけで外せるので外すのも簡単である。【００１０】図３は、筒状のメス型の内部に設けられた短い円柱形の突起と内部に設置された磁石との間に充分な空間があり、そのメス型に入るオス型の内部に磁石を設置し、またその先端付近の外周に羽の短いスクリュー状のものを設けたことを特徴とする磁石入り留め具の斜視図である。同図に示すようにオス型メス型それぞれの突起により外れてしまうことを防止する。メス型の突起の数はいくつでも良いが、２ヶ〜４ヶが望ましい。またこれらの突起はオス型とメス型逆に設置しても良いが、上記の組み合わせが製造上望ましい。【００１１】図４は様々な留め具のメス型のデザイン例の正面図である。
同図に示すように様々なデザインが可能である。
【産業上の利用可能性】
【００１２】本発明に係る留め具は、工業的に量産する事が可能であるため、産業上の利用可能性を有する。
【図面の簡単な説明】
【００１３】
【図１】メス型内部にオス型が装身具本体に対しおよそ４５度以上の角度になるよう斜めに装着される外れ防止の磁石入り留め具の斜視図である。
【図２】メス型のねじ山と磁石の間にねじ山のない空間を設けた外れ防止留め具の斜視図である。
【図３】メス型の内部に突起を設け、オス型の外周にスクリューのような突起を設けた外れ防止の磁石入り留め具の斜視図である。
【図４】メス型の様々なデザイン例の正面図である。
【符号の説明】
【００１４】１      留め具本体となるメス型
１１    メス型内部に入りロックする部材を持つオス型
２      磁石
３      外れ防止に関連する突起
４      装身具本体と留め具をつなぐ部材
【図１】
2012081240.tif 000003
【図２】
2012081240.tif 000004
【図３】
2012081240.tif 000005
【図４】
2012081240.tif 000006
2012081240.tif 000007